(57)【要約】サービス制御装置は、無線通信装置に存在するモバイル・クライアントへのチャージのアドバイスまたはリチャージ要求メッセージを送信する（３０１）。メッセージは、無線テレフォニー・アプリケーション・サーバによってまず受信され、次いでサーバは、無線アクセス・プロトコル・ゲートウェイにメッセージを転送する（３０２）。無線アクセス・プロトコル・ゲートウェイは、次いで、モバイル・クライアントに要求を送る（３０３）。モバイル・クライアントのユーザは、プリペイド電話通話時間アカウントをリチャージするために要求に対して肯定的または否定的返信で応答する（３０４または３１０）。サービス制御装置は、次いで、ユーザからの応答により、命令された通りにアカウントをリチャージする（３０６）かまたはアカウントを終了させる（３１２）。【選択図】図３
2004516749.tif 000002
【特許請求の範囲】
【請求項１】
モバイル・クライアント、サービス制御装置、無線テレフォニー・アプリケーション・サーバ、及び無線アクセス・プロトコル・ゲートウェイを備えている無線アクセス・プロトコル・システムのプリペイド電話通話時間アカウントをリチャージする方法であって、
サービス制御装置が、低いプリペイド電話通話時間アカウント・バランスを知らせているモバイル・クライアントに対してリチャージ要求を始動するステップ；
モバイル・クライアントが、リチャージ要求に対する応答を示している返答メッセージでサービス制御装置に返答するステップ；及び
サービス制御装置が、前記返答メッセージに応じて前記プリペイド電話通話時間アカウントを処理するステップ
を具備することを特徴とする方法。
【請求項２】
前記返答メッセージは、前記プリペイド電話通話時間アカウントをリチャージするための要望を示すこと特徴とする請求項１に記載の方法。
【請求項３】
前記サービス制御装置が、リチャージするための前記要望に応じて前記プリペイド電話通話時間アカウントを処理する前記ステップは、前記サービス制御装置が、前記プリペイド電話通話時間アカウントに値を付加するステップを含むこと特徴とする請求項２に記載の方法。
【請求項４】
前記プリペイド電話通話時間アカウントに付加された値は、通貨値を含むことを特徴とする請求項３に記載の方法。
【請求項５】
前記プリペイド電話通話時間アカウントに付加された値は、通話時間値を含むことを特徴とする請求項３に記載の方法。
【請求項６】
前記返答メッセージは、前記プリペイド電話通話時間アカウントを終了させるための要望を含むことを特徴とする請求項１に記載の方法。
【請求項７】
前記サービス制御装置が、前記プリペイド電話通話時間アカウントを終了させるための要望に応じて該プリペイド電話通話時間を処理するステップは、
前記サービス制御装置が、前記プリペイド電話通話時間アカウントを終了させるステップ；及び
ユーザが通話中であるならば、前記サービス制御装置が、バランスの終了を示している前記モバイル・クライアントに警告を送信するステップ
を具備することを特徴とする請求項６に記載の方法。
【請求項８】
前記モバイル・クライアントは、無線アクセス・プロトコル対応無線電話に内在することを特徴とする請求項１に記載の方法。
【請求項９】
前記モバイル・クライアントは、無線通信ケーパビリティを有している無線アクセス・プロトコル対応パーソナル・デジタル・アシスタントに内在することを特徴とする請求項１に記載の方法。
【請求項１０】
前記付加された値は、所定値であることを特徴とする請求項３に記載の方法。
【請求項１１】
前記付加された値は、前記モバイル・クライアントを操作している加入者によって動的に設定された値であることを特徴とする請求項３に記載の方法。
【請求項１２】
前記サービス制御装置が、前記返答メッセージに応じて前記モバイル・クライアントに肯定応答を送信するステップを更に具備することを特徴とする請求項１に記載の方法。
【請求項１３】
前記ユーザのプリペイド・バランスが完全に使い果たされたならば、前記サービス制御装置は、通話を終わらせるためにモバイル・スイッチング・センタにメッセージを送信するステップを更に具備することを特徴とする請求項７に記載の方法。
【請求項１４】
モバイル・クライアント、サービス制御装置、無線テレフォニー・アプリケーション・サーバ、及び無線アクセス・プロトコル・ゲートウェイを備えている無線アクセス・プロトコル・システムのプリペイド電話通話時間アカウントをリチャージする方法であって、
サービス制御装置が、低いプリペイド電話通話時間アカウント・バランスを知らせている無線テレフォニー・アプリケーション・サーバにリチャージ要求を送信するステップ；
前記無線テレフォニー・アプリケーション・サーバが、前記無線アクセス・プロトコル・ゲートウェイに前記リチャージ要求を送るステップ；
前記無線テレフォニー・アプリケーション・サーバが、前記モバイル・クライアントに前記リチャージ要求を送るステップ；
前記モバイル・クライアントが、前記無線アクセス・プロトコル・ゲートウェイにリチャージ容認メッセージを送信するステップ；
前記無線アクセス・プロトコル・ゲートウェイが、前記無線テレフォニー・アプリケーション・サーバに前記リチャージ容認メッセージを送るステップ；
前記無線テレフォニー・アプリケーション・サーバが、前記サービス制御装置に前記リチャージ容認メッセージを送るステップ；及び
前記サービス制御装置が、前記リチャージ容認メッセージに応じて前記プリペイド電話通話時間アカウントに値を付加するステップ
を具備することを特徴とする方法。
【請求項１５】
前記プリペイド電話通話時間アカウントに値を付加する前記ステップは、電話請求システムを通して前記プリペイド電話通話時間アカウントに値を付加するステップを含むことを特徴とする請求項１４に記載の方法。
【請求項１６】
前記プリペイド電話通話時間アカウントに値を付加する前記ステップは、電子ウォレット支払システムを通して前記プリペイド電話通話時間アカウントに値を付加するステップを含むことを特徴とする請求項１４に記載の方法。
【請求項１７】
前記プリペイド電話通話時間アカウントに値を付加する前記ステップは、クレジット・カード・システムを通して前記プリペイド電話通話時間アカウントに値を付加するステップを含むことを特徴とする請求項１４に記載の方法。
【請求項１８】
前記モバイル・クライアントが、前記無線アクセス・プロトコル・システムを通してユーザ変更可能設定を構成するステップを更に含むことを特徴とする請求項１４に記載の方法。
【請求項１９】
前記ユーザ変更可能設定は、前記無線アクセス・プロトコル・システムによって使用される通貨を含むことを特徴とする請求項１８に記載の方法。
【請求項２０】
前記ユーザ変更可能設定は、前記プリペイド電話通話時間アカウント・バランスが前記リチャージ要求を始動するしきい値レベルを含むことを特徴とする請求項１８に記載の方法。
【請求項２１】
前記ユーザ変更可能設定は、前記無線アクセス・プロトコル・システム及び前記モバイル・クライアントによって使用される言語を含むことを特徴とする請求項１８に記載の方法。
【請求項２２】
前記ユーザ変更可能設定は、前記モバイル・クライアント及び前記無線アクセス・プロトコル・システムによって使用される選好を含むことを特徴とする請求項１８に記載の方法。
【請求項２３】
前記ユーザ変更可能設定は、前記無線アクセス・プロトコル・システム及び前記モバイル・クライアントによって使用される通知種類を含むことを特徴とする請求項１８に記載の方法。
【請求項２４】
モバイル・クライアントを動作している無線通信インターネット装置によって使用されるプリペイド電話通話時間アカウントをリチャージするシステムであって、
前記モバイル・クライアントに低いプリペイド電話通話時間アカウント・バランスを知らせるために該モバイル・クライアントにリチャージ要求を送信するサービス制御装置；
前記サービス制御装置から前記リチャージ要求を受信しかつ当該リチャージ要求を再送信する無線テレフォニー・アプリケーション・サーバ；
前記無線テレフォニー・アプリケーション・サーバから前記再送信されたリチャージ要求を受信しかつ前記モバイル・クライアントに前記リチャージ要求を送る無線アクセス・プロトコル・ゲートウェイ；及び
前記無線アクセス・プロトコル・ゲートウェイに結合されかつ前記リチャージ要求に対する応答を示している前記サービス制御装置に返答を送信する手段を有している前記モバイル・クライアント
を備えていることを特徴とするシステム。
【請求項２５】
モバイル・クライアント、サービス制御装置、無線テレフォニー・アプリケーション・サーバ、モバイル・スイッチング・センタ、及び無線アクセス・プロトコル・ゲートウェイを備えている無線アクセス・プロトコル・システムのプリペイド電話通話時間アカウントをリチャージする方法であって、
前記モバイル・クライアントが電話番号に電話通話を始動するステップ；
前記サービス制御装置が、前記電話通話に対する予想チャージを決定するために前記電話番号を分析するステップ；
前記サービス制御装置が、前記予想チャージを前記モバイル・クライアントに通知するステップ；
前記モバイル・クライアントが、前記予想チャージに対する応答を示している返答メッセージで前記サービス制御装置に応答するステップ；及び
前記サービス制御装置が、前記返答メッセージに応じて前記プリペイド電話通話時間アカウントを処理するステップ
を具備することを特徴とする方法。
【請求項２６】
前記サービス制御装置が、前記無線アクセス・プロトコル・システムを通して前記モバイル・クライアントと通信するステップを更に具備することを特徴とする請求項２５に記載の方法。
【請求項２７】
前記サービス制御装置が、前記無線アクセス・プロトコル・システムを通して前記モバイル・クライアントと通信する前記ステップは、
前記サービス制御装置が、前記無線テレフォニー・アプリケーション・サーバに前記予想チャージ・メッセージを送信するステップ；
前記無線テレフォニー・アプリケーション・サーバが、前記無線アクセス・プロトコル・ゲートウェイに前記予想チャージ・メッセージを送信するステップ；及び
前記無線アクセス・プロトコル・ゲートウェイが、前記モバイル・クライアントに前記予想チャージ・メッセージを送信するステップ
を更に具備することを特徴とする請求項２６に記載の方法。
【請求項２８】
前記モバイル・クライアントが、前記返答メッセージで前記サービス制御装置に応答するステップは、
前記モバイル・クライアントが、前記無線アクセス・プロトコル・ゲートウェイに応答メッセージを送信するステップ；
前記無線アクセス・プロトコル・ゲートウェイが、前記無線テレフォニー・アプリケーション・サーバに前記応答メッセージを送信するステップ；及び
前記無線テレフォニー・アプリケーション・サーバが、前記サービス制御装置に前記応答メッセージを送信するステップ
を更に具備することを特徴とする請求項２５に記載の方法。
【発明の詳細な説明】
【０００１】
１．（技術分野）
本発明は、一般に無線通信に関する。特に、本発明は、無線アクセス・プロトコル（ＷＡＰ）対応装置に関する。
【０００２】
２．（背景技術）
無線電話のケーパビリティは、急激に増加している。無線電話は、いま、電話の一部であるマイクロブラウザを用いてインターネットにアクセスする機能を有する。マイクロブラウザは、マイクロソフトのインターネット・エクスプローラ（ＭＩＣＲＯＳＯＦＴ’Ｓ ＩＮＴＥＲＮＥＴ ＥＸＰＬＯＲＥＲ）ＴＭ及びネットスケープのネットスケーブ・コミュニケータ（ＮＥＴＳＣＡＰＥ’Ｓ ＮＥＴＳＣＡＰＥ ＣＯＭＭＵＮＩＣＡＴＯＲ）ＴＭのようなパーソナル・コンピュータ・ブラウザの非常に簡単なバージョンである。
【０００３】
このモバイル・インターネット・ブラウジング・ケーパビリティは、インターネット及びワールド・ワイド・ウェブと無線方式で通信するための規則を設定している無線アクセス・プロトコル（ＷＡＰ）フォーラムを通じて標準化されている最中である。この種の通信用につくられた言語は、無線マークアップ言語（ＷＭＬ）である。この言語は、ウェブ言語、ハイパーテキスト・マークアップ言語（ＨＴＭＬ）の簡略化されたバージョンである。ＸＭＬアプリケーションに対して、ＷＭＬは、セルラ電話機に広く行き渡っている小型の、低解像度画面を有する無線通信装置用につくられた。
【０００４】
プリペイド・セルラ・コーリング・アカウントは、サービス・プロバイダとの長期契約に加入することを望まないかまたはよくない信用を有しかつポストペイド（後払い）サービス・アカウントに適格ではない消費者によって使用される。一般的に、消費者は、アカウントを開くために先払い料金を支払いかつ所定の通話時間（エアタイム）量を受け取る。
【０００５】
消費者は、彼のアカウントに残っている時間量を追跡することを好む。消費者が通話（コール）している間にアカウントが使い果たされたならば、進行中の通話が切断されうるかまたはプリペイド限度を越えていしまうために消費者のアカウントが追加料金で打撃を与えられうる。プリペイド・セルラ・アカウントをリチャージ（再補給）するための処理に対する、結果として得られる不測の必要性が存在する。
【０００６】
（発明の開示）
本発明は、モバイル・クライアント（１００）、サービス制御装置（２０３）、無線テレフォニー・アプリケーション・サーバ（２０２）、及び無線アクセス・プロトコル・ゲートウェイ（２０１）を備えている無線アクセス・プロトコル・システムのプリペイド電話通話時間アカウントをリチャージする方法であって、サービス制御装置が、低いプリペイド電話通話時間アカウント・バランスを知らせているモバイル・クライアントに対してリチャージ要求を始動する（３０１）ステップ；モバイル・クライアントが、リチャージ要求に対する応答を示している返答メッセージでサービス制御装置に返答する（３０４）ステップ；及び
サービス制御装置が、前記返答メッセージに応じて前記プリペイド電話通話時間アカウントを処理する（３０６）ステップを具備することを特徴とする方法を提供する。
【０００７】
本発明の方法では、前記返答メッセージは、前記プリペイド電話通話時間アカウントをリチャージするための要望を示すようにしてもよい。
【０００８】
本発明の方法では、前記サービス制御装置が、リチャージするための前記要望に応じて前記プリペイド電話通話時間アカウントを処理する前記ステップは、前記サービス制御装置が、前記プリペイド電話通話時間アカウントに値を付加するステップを含むようにしてもよい。
【０００９】
本発明の方法では、前記プリペイド電話通話時間アカウントに付加された値は、通貨値を含むようにしてもよい。
【００１０】
本発明の方法では、前記プリペイド電話通話時間アカウントに付加された値は、通話時間値を含むようにしてもよい。
【００１１】
本発明の方法では、前記返答メッセージは、前記プリペイド電話通話時間アカウントを終了させるための要望を含むようにしてもよい。
【００１２】
本発明の方法では、前記サービス制御装置が、前記プリペイド電話通話時間アカウントを終了させるための要望に応じて該プリペイド電話通話時間を処理するステップは、前記サービス制御装置が、前記プリペイド電話通話時間アカウントを終了させるステップ；及びユーザが通話中であるならば、前記サービス制御装置が、バランスの終了を示している前記モバイル・クライアントに警告を送信するステップを具備するようにしてもよい。
【００１３】
本発明の方法では、前記モバイル・クライアントは、無線アクセス・プロトコル対応無線電話に内在するようにしてもよい。
【００１４】
本発明の方法では、前記モバイル・クライアントは、無線通信ケーパビリティを有している無線アクセス・プロトコル対応パーソナル・デジタル・アシスタントに内在するようにしてもよい。
【００１５】
本発明の方法では、前記付加された値は、所定値であってもよい。
【００１６】
本発明の方法では、前記付加された値は、前記モバイル・クライアントを操作している加入者によって動的に設定された値であってもよい。。
【００１７】
本発明の方法では、前記サービス制御装置が、前記返答メッセージに応じて前記モバイル・クライアントに肯定応答を送信するステップを更に具備するようにしてもよい。
【００１８】
本発明の方法では、前記ユーザのプリペイド・バランスが完全に使い果たされたならば、前記サービス制御装置は、通話を終わらせるためにモバイル・スイッチング・センタにメッセージを送信するステップを更に具備するようにしてもよい。
【００１９】
また、本発明は、モバイル・クライアント（１００）、サービス制御装置（２０３）、無線テレフォニー・アプリケーション・サーバ（２０２）、及び無線アクセス・プロトコル・ゲートウェイ（２０１）を備えている無線アクセス・プロトコル・システムのプリペイド電話通話時間アカウントをリチャージする方法であって、サービス制御装置が、低いプリペイド電話通話時間アカウント・バランスを知らせている無線テレフォニー・アプリケーション・サーバにリチャージ要求を送信する（３０１）ステップ；前記無線テレフォニー・アプリケーション・サーバが、前記無線アクセス・プロトコル・ゲートウェイに前記リチャージ要求を送る（３０２）ステップ；前記無線テレフォニー・アプリケーション・サーバが、前記モバイル・クライアントに前記リチャージ要求を送る（３０３）ステップ；前記モバイル・クライアントが、前記無線アクセス・プロトコル・ゲートウェイにリチャージ容認メッセージを送信する（３０４）ステップ；前記無線アクセス・プロトコル・ゲートウェイが、前記無線テレフォニー・アプリケーション・サーバに前記リチャージ容認メッセージを送る（３０５）ステップ；前記無線テレフォニー・アプリケーション・サーバが、前記サービス制御装置に前記リチャージ容認メッセージを送る（３０６）ステップ；及び前記サービス制御装置が、前記リチャージ容認メッセージに応じて前記プリペイド電話通話時間アカウントに値を付加するステップを具備することを特徴とする方法を提供する。
【００２０】
本発明の方法では、前記プリペイド電話通話時間アカウントに値を付加する前記ステップは、電話請求システムを通して前記プリペイド電話通話時間アカウントに値を付加するステップを含むようにしてもよい。
【００２１】
本発明の方法では、前記プリペイド電話通話時間アカウントに値を付加する前記ステップは、電子ウォレット支払システムを通して前記プリペイド電話通話時間アカウントに値を付加するステップを含むようにしてもよい。
【００２２】
本発明の方法では、前記プリペイド電話通話時間アカウントに値を付加する前記ステップは、クレジット・カード・システムを通して前記プリペイド電話通話時間アカウントに値を付加するステップを含むようにしてもよい。
【００２３】
本発明の方法では、前記モバイル・クライアントが、前記無線アクセス・プロトコル・システムを通してユーザ変更可能設定を構成するステップを更に含むようにしてもよい。
【００２４】
本発明の方法では、前記ユーザ変更可能設定は、前記無線アクセス・プロトコル・システムによって使用される通貨を含むようにしてもよい。
【００２５】
本発明の方法では、前記ユーザ変更可能設定は、前記プリペイド電話通話時間アカウント・バランスが前記リチャージ要求を始動するしきい値レベルを含むようにしてもよい。
【００２６】
本発明の方法では、前記ユーザ変更可能設定は、前記無線アクセス・プロトコル・システム及び前記モバイル・クライアントによって使用される言語を含むようにしてもよい。
【００２７】
本発明の方法では、前記ユーザ変更可能設定は、前記モバイル・クライアント及び前記無線アクセス・プロトコル・システムによって使用される選好を含むようにしてもよい。
【００２８】
本発明の方法では、前記ユーザ変更可能設定は、前記無線アクセス・プロトコル・システム及び前記モバイル・クライアントによって使用される通知種類を含むようにしてもよい。
【００２９】
本発明は、モバイル・クライアント（１００）を動作している無線通信インターネット装置によって使用されるプリペイド電話通話時間アカウントをリチャージするシステムであって、前記モバイル・クライアント（１００）に低いプリペイド電話通話時間アカウント・バランスを知らせるために該モバイル・クライアント（１００）にリチャージ要求を送信するサービス制御装置（２０３）；前記サービス制御装置（２０３）から前記リチャージ要求を受信しかつ当該リチャージ要求を再送信する無線テレフォニー・アプリケーション・サーバ（２０２）；前記無線テレフォニー・アプリケーション・サーバ（２０２）から前記再送信されたリチャージ要求を受信しかつ前記モバイル・クライアントに前記リチャージ要求を送る無線アクセス・プロトコル・ゲートウェイ（２０１）；及び前記無線アクセス・プロトコル・ゲートウェイ（２０１）に結合されかつ前記リチャージ要求に対する応答を示している前記サービス制御装置（２０３）に返答を送信する手段を有している前記モバイル・クライアント（１００）を備えていることを特徴とするシステムを提供する。
【００３０】
本発明は、モバイル・クライアント、サービス制御装置、無線テレフォニー・アプリケーション・サーバ、モバイル・スイッチング・センタ、及び無線アクセス・プロトコル・ゲートウェイを備えている無線アクセス・プロトコル・システムのプリペイド電話通話時間アカウントをリチャージする方法であって、前記モバイル・クライアントが電話番号に電話通話を始動する（８０５）ステップ；前記サービス制御装置が、前記電話通話に対する予想チャージを決定するために前記電話番号を分析するステップ；前記サービス制御装置が、前記予想チャージを前記モバイル・クライアントに通知する（８１５、８２０、８３０）ステップ；前記モバイル・クライアントが、前記予想チャージに対する応答を示している返答メッセージで前記サービス制御装置に応答する（８３５、８４０、８４５）ステップ；及び前記サービス制御装置が、前記返答メッセージに応じて前記プリペイド電話通話時間アカウントを処理するステップを具備することを特徴とする方法を提供する。
【００３１】
本発明の方法では、前記サービス制御装置が、前記無線アクセス・プロトコル・システムを通して前記モバイル・クライアントと通信するステップを更に具備するようにしてもよい。
【００３２】
本発明の方法では、前記サービス制御装置が、前記無線アクセス・プロトコル・システムを通して前記モバイル・クライアントと通信する前記ステップは、前記サービス制御装置が、前記無線テレフォニー・アプリケーション・サーバに前記予想チャージ・メッセージを送信する（８１５）ステップ；前記無線テレフォニー・アプリケーション・サーバが、前記無線アクセス・プロトコル・ゲートウェイに前記予想チャージ・メッセージを送信する（８２０）ステップ；及び前記無線アクセス・プロトコル・ゲートウェイが、前記モバイル・クライアントに前記予想チャージ・メッセージを送信する（８３０）ステップを更に具備するようにしてもよい。
【００３３】
本発明の方法では、前記モバイル・クライアントが、前記返答メッセージで前記サービス制御装置に応答するステップは、前記モバイル・クライアントが、前記無線アクセス・プロトコル・ゲートウェイに応答メッセージを送信する（８３５）ステップ；前記無線アクセス・プロトコル・ゲートウェイが、前記無線テレフォニー・アプリケーション・サーバに前記応答メッセージを送信する（８４０）ステップ；及び前記無線テレフォニー・アプリケーション・サーバが、前記サービス制御装置に前記応答メッセージを送信する（８４５）ステップを更に具備するようにしてもよい。
【００３４】
（発明を実施するための最良の形態）
本発明は、いつでもプリペイド・サービス・アカウントをリチャージする機能をセルラ電話ユーザに提供する。アカウントは、ユーザを邪魔することなくユーザが通話をしている間でもリチャージすることができる。
【００３５】
本発明の好適な実施形態は、無線アクセス・プロトコル（ＷＡＰ）対応セルラ電話を使用する；代替実施形態は、電話がＷＡＰ対応であることを必要としない。プリペイド通話時間アカウントを有するあらゆるＰＣＳまたは高度モバイル・フォン・サービス（ＡＭＰＳ）形式のセルラ電話が動作する。
【００３６】
ＷＡＰ対応セルラ電話は、（いつでもどこでも）セルラ電話に配送される情報及びユーザが利用可能なオプションにより、さらに人気になっている。ＷＡＰ対応セルラ電話は、セルラ電話ユーザに電話の動作を制御させることに加えてインターネットで情報にアクセスさせかつ受信させることができるウェブ・ブラウザ形式のソフトウェアで構成されている。
【００３７】
ここに説明するＷＡＰプロトコル及びアーキテクチャは、この技術分野でよく知られている。ＷＡＰの更なる説明は、ＷＡＰ Ｆｏｒｕｍから入手可能である。ＷＡＰ Ｆｏｒｕｍによって生成されたほとんどの文書は、ＷＡＰ Ｆｏｒｕｍのウェハサイト：
ｗｗｗ．ｗａｐｆｏｒｕｍ．ｃｏｍ．
にてインターネットで入手可能である
図１は、典型的なＷＡＰ対応セルラ電話（１００）のブロック図を示す。電話（１００）は、送信機（１０３）による送信のために音声信号を電気信号に変換するマイクロフォン（１０５）を備えかつアンテナ（１０９）にわたり放射される。アンテナ（１０９）によって受信された信号は、スピーカ（１０８）によって音声信号に変換される前に受信機（１０４）によって受信されかつ復調される。電話のユーザは、情報を入力しかつキーパッド（１０７）によって電話を動作する。ディスプレイ（１０６）は、キーパッド（１０７）に入力されたもの並びに受信機（１０４）によって受信された情報をユーザに示す。
【００３８】
メモリ（１０１）に結合されるプロセッサ（１０２）は、セルラ電話（１００）を制御する。プロセッサは、入力に対してキーパッド（１０７）をスキャン（走査）し、適切なデータをディスプレイ（１０６）に表示し、かつデータの送信及び受信を制御する。
【００３９】
また、プロセッサ（１０２）は、モバイル電話によって使用されるクライアント・ソフトウェア処理を実行する役割を果たしている。例えば、電話がＷＡＰ使用可能型なので、プロセッサ（１０２）は、インターネット上にデータを通信するウェブ・ブラウザ形式処理を実行する。ウェブ・ブラウザ形式処理は、電子メールを送信しかつ検索し、情報に対してウェブ・ページにアクセスし、かつウェハ・サイトに情報を送信する役割を果たしている。
【００４０】
ウェブ・ブラウザ形式処理は、パーソナル・コンピュータ用に書かれたウェブ・ブラウザ・プログラムのより小さいバージョンである。これらは、ＩＮＴＥＲＮＥＴ ＥＸＰＬＯＲＥＲ及びＮＥＴＳＣＡＰＥ’Ｓ ＮＡＶＩＧＡＴＯＲのようなプログラムを含む。ＷＡＰ対応電話に対するウェブ・ブラウザ形式処理は、に電話のメモリに適合するために大きさがより小さいことを要求される。また、このブラウザ形式処理は、典型的なパーソナル・コンピュータで使用されるものよりも実質的に小さい電話の画面に対してウェブ・ページをダウンロードしなければならない。このウェブ・ブラウザ形式処理は、この技術分野でよく知られておりここでは更に説明しない。
【００４１】
本発明の好適な実施形態は、図１のＷＡＰ対応セルラ電話（１００）を用いて説明されるが、他の種類のＷＡＰ対応無線通信装置もまた本発明の処理で効果的に動作する。例として、代替実施形態では、無線方式で動作するＷＡＰ対応パーソナル・デジタル・アシスタント（ＰＤＡ）をセルラ電話の代わりに用いることができる。本発明は、ＷＡＰシステムと対話するためにモバイル・クライアント処理を実行することができるように構成された無線装置で動作する。
【００４２】
図２は、本発明のＷＡＰネットワークのブロック図を示す。このネットワークは、図１に示したＷＡＰ対応セルラ電話（１００）で構成されている。セルラ電話（１００）は、無線セルラ・ネットワーク（２０５）と通信する。ネットワーク（２０５）は、小電力送信機に結合された多数の固定アンテナで構成されている。各アンテナは、（採り入れられた指向アンテナの数により）区分された３６０°エリアに放射する。そのようなネットワークの例は、ＡＭＰＳセルラ・ネットワーク、ＧＳＭセルラ・ネットワーク、及びＣＤＭＡ ＰＣＳネットワークである。本発明のセルラ・ネットワークは、この技術分野でよく知られており更に説明しない。
【００４３】
無線ネットワーク（２０５）は、電話（１００）をＷＡＰゲートウェイ・プロキシ（２０１）と通信させる。この技術分野でよく知られているように、プロキシは、本実施形態における電話（１００）のような、他のクライアントのために要求を行う目的に対してサーバ及びクライアントの両方の役目をする中間プログラムである。プロキシは、（例えば、ファイアウォールを横切る）直接通信の手段を有していないサーバとクライアントとの間に典型的に存在する。要求は、プロキシ・プログラムによってサービスされるかまたは、可能な変換で、その他のサーバに渡される。
【００４４】
本実施形態では、ＷＡＰプロキシ（２０１）は、電話（１００）からのＷＡＰ要求をワールド・ワイド・ウェブによって使用されるプロトコルに変換する。これは、電話（１００）に、ウェブ・サーバ（２０３）に対する情報の要求を提出させる。また、プロキシ（２０１）は、ウェブ・サーバ（２０３）からの応答を、電話（１００）によって理解される圧縮２進（コンパクト・バイナリ）フォーマットにコード化する。
【００４５】
ＷＡＰ対応装置は、装置にＷＭＬ及びＷＭＬｓｃｒｉｐｔコンテントを供給する（レンダーする（ｒｅｎｄｅｒ））ためにＨＴＴＰを用いて通信するウェブ・サーバにアクセスする。ＷＭＬは、ＸＭＬのアプリケーションである。ＷＭＬは、実質的により多くのメモリ及び処理能力を有しかつより高速な接続でインターネットにアクセスするパーソナル・コンピュータと比較して、ＷＡＰ対応無線装置の縮小されたケーパビリティ並びに低帯域幅無線ネットワークによって課された制約により要求される。
【００４６】
ウェブ・サーバ（２０３）がＷＡＰコンテントを供給するならば、ＷＡＰプロキシ（２０１）は、ウェブ・サーバ（２０３）からそれを直接検索する。しかしながら、ウェブ・サーバ（２０３）が（ＨＴＭＬのような）ＷＷＷコンテントを供給するならば、ＷＷＷコンテントをＷＡＰコンテントに変換するためにＨＴＭＬフィルタ（２０４）が使用される。例えば、ＨＴＭＬフィルタ（２０４）は、ＨＴＭＬをＷＭＬに変換する。次いで電話（１００）は、ＷＡＰプロキシ（２０１）からＷＷＷコンテンツにアクセスする。
【００４７】
ウェブ・サーバ（２０３）は、インターネット上でＷＡＰ装置及び典型的なパーソナル・コンピュータの両方によってアクセスされる情報及びウェブ・ページを記憶する。明瞭化の目的で、たった一つのウェブ・サーバ（２０３）が図２に示されている。実際には、電話（１００）によって要求された情報により、複数のウェブ・サーバが必要である。各ウェブ・サーバは、異なるサイトに存在しうるしかつ異なるカンパニー（会社）によって動作されうる。好適な実施形態は、ＷＡＰプロキシ（２０１）及びウェブ・サーバ（２０３）を別個のエンティティとして示すが、代替実施形態は、コンテントを提供（サーブ）しているウェブ・オリジン・サーバの一部としてＷＡＰゲートウェイ機能を含む。
【００４８】
無線テレフォニー・アプリケーション（ＷＴＡ）（２０２）サーバは、直接的にＷＡＰ電話（１００）と通信する特別な種類のオリジン・サーバである。従って、ＷＴＡサーバ（２０２）は、ＷＭＬフォーマットで動作する。ＷＴＡサーバ（２０２）は、無線ネットワーク・プロバイダの遠隔通信インフラストラクチャの機能（フューチャ）へのＷＡＰアクセスを供給する。例えば、ネットワーク・プロバイダは、電話ユーザに対して電話番号及びアドレスの記憶を供給しうる。次いで、ユーザは、電話のブラウザを使用してＷＴＡサーバ（２０２）を通してこれらの番号にアクセスすることができる。
【００４９】
図３は、本発明のプリペイド・アカウント・リチャージ処理の通話フロー図を示す。処理は、プリペイド・アカウントのリチャージを必要としうることをセルラ電話ユーザに通知するためにプッシュ・オペレーション（動作）（３０１）を実行しているサービス制御装置（サービス・コントロール・ポイント）（ＳＣＰ）によって開始する。ＳＣＰは、通話処理中に問合せすることができる制御サーバである。ＳＣＰは、通話またはセッションのディスポジションの処理に対する変更を、ネットワーク素子に、（戻して）信号で知らせる能力（機能）を有する。
【００５０】
プッシュ・オペレーション（３０１）は、通話中に行うことを必要としない。ユーザが彼のアカウントをリチャージすることを提案しているプッシュ・オペレーション（３０１）は、いつでも行うことができうる。更に、ユーザがプリペイドではない通話を行っていても、プッシュ・オペレーション（３０１）を実行しうる。
【００５１】
プリペイド通話以外でプッシュ・オペレーション（３０１）を実行する能力（機能）は、プロモーションの規則によりリチャージすることをユーザが決定したならばプロモーションをアドバタイス（広告）するための能力（機能）をサービス・プロバイダに与える。例えば、サービス・プロバイダは、その次の３時間内にアカウントをリチャージする全てのプリペイド・アカウント・ユーザに対して１０％ディスカウントを提供しうる。事実、ユーザのプリペイド・アカウントは、プッシュ・オペレーションを利用するために必ずしもサービス・プロバイダに対する枯渇に近いということを必要としない。
【００５２】
ＳＣＰは、ＷＴＡサーバに（リチャージ情報を含んでいる）プッシュ信号を送る。ＷＡＰ Ｐｕｓｈを用いて、ＷＴＡサーバは、ＷＡＰゲートウェイにプッシュ信号（３０２）を送る。ＷＡＰゲートウェイは、モバイル端末のＷＴＡクライアントにエア（３０３）でこのサービス表示（Ｓｅｒｖｉｃｅ・Ｉｎｄｉｃａｔｉｏｎ）信号を送る。
【００５３】
代替実施形態では、リチャージ・アプリケーションは、ＷＴＡサーバのＵＲＬで利用可能である。この場合には、クライアントに送られたプッシュ・サービス表示は、ＵＲＬだけを含む。次いでクライアントは、リチャージ通知に関連付けられたコンテントを検索する（ＷＳＰ／ＨＴＴＰ ＧＥＴを介してプルする）。
【００５４】
この地点で、図３の通話フローは、ユーザがユーザのプリペイド・アカウントをリチャージすることを望むかどうかに依存する。リチャージを受け入れるかまたは拒否するためにユーザが通る処理は、図６を参照してその後に示される。
【００５５】
図３を再び参照すると、ユーザがリチャージ通知を受け入れるならば、モバイル・クライアントは、“リチャージ受入れ”信号（３０４）を、ＷＴＡサーバに送るためにＷＡＰゲートウェイに送る。ＷＴＡサーバは、ＳＣＰに受入れ信号（３０６）を送る。
【００５６】
ここでＳＣＰは、プリペイド・アカウントをリチャージする。好適な実施形態では、アカウントは、ユーザ及びサービス・プロバイダが予め同意したかまたはユーザが（個人化プロフィールの一部のような）自動化手段を通して構成した所定の量でリチャージされる。代替実施形態では、ユーザは、ユーザが欲するアカウントがリチャージされる量を入力するオプションを有する。この量は、受入れ信号と一緒にＳＣＰに送り戻される。次いでＳＣＰは、このレベルまでアカウントをリチャージする。
【００５７】
好適な実施形態では、ＳＣＰは、ある一定の量に対するリチャージが実際に行われたことをユーザに表示するために、ＷＴＡサーバ及びＷＡＰゲートウェイを通して、モバイル・クライアントに肯定応答を送り戻す。代替実施形態では、肯定応答は、与えられずかつユーザは、リチャージが発生したということをみなさなければならない。
【００５８】
ユーザがＳＣＰからのリチャージ要求を拒否するならば、モバイル・クライアントは、ＷＴＡサーバに送るために（３１１）ＷＡＰゲートウェイに拒否信号（３１０）を送る。ＷＴＡサーバは、拒否（３１２）をＳＣＰに送る。この場合には、ＳＣＰがアカウントをリチャージしないしかつ好適な実施形態において肯定応答が全く必要ない。代替実施形態では、ＳＣＰは、アカウントがリチャージされないことを肯定応答かつ現在のプリペイド・レベルをリストに表示する。
【００５９】
本発明のプリペイド・アカウント・リチャージ処理の別のシナリオでは、ユーザは、ＳＣＰからのリチャージ要求を拒否しかつプリペイド・ファンドが使い果たされる（枯渇される）。図４に示される、この場合には、ＳＣＰは、通話が処理中である間に、ユーザのアカウント・レベルを追跡する。アカウントが所定のレベルに達したときに、ＳＣＰは、ユーザのモバイル・クライアントに警告信号を送出する。このシナリオは、ＷＡＰ使用可能モバイル・クライアント及びＷＡＰ使用不能モバイル・クライアントの両方に対して発生する。
【００６０】
好適な実施形態では、警告信号が始動される所定レベルは、ユーザがプリペイド・アカウントに対して契約を結んだときに設定される。代替的に、それは、ユーザの選好が時間にわたり変化するならば、動的に構成することができる。このレベルは、ユーザがセット・ドル量またはセット（時間の）分の数に対して契約を結んだかにより、通貨的レベルでありうるかまたは（それは）残っている所定の（時間の）分の数でありうる。
【００６１】
ユーザが通話中であるならば、モバイル・クライアント（４０１）に送信された警告信号は、電話が動作しているエリアの役割を果たすモバイル・スイッチング・センタ（ＭＳＣ）にまず進まなければならない。ＭＳＣは、信号を電話のモバイル・クライアントに送信することができるように電話がどの基地局と通信しているかを認識している。
【００６２】
好適な実施形態では、モバイル・クライアントに送信された警告信号は、ユーザが通話中であると仮定して、ユーザが切断される前に残っている一定の数のドルまたは分をいま有することをユーザに報告するテキスト・メッセージの形式を取る。ユーザがセット・ドル量に対して契約を結んだならば、システムは、また、現在の通話時間レートを知ることにより、そのセット・ドル量に対して残っている時間の予測を送る。
【００６３】
ユーザが通話中でなくかつプッシュ・メッセージが実行されているならば、それはいつでも実行することができる：プロモーション中またはバランスが所定のしきい値に達したとき。
【００６４】
ユーザが、それがゼロに達するときまでにアカウントをリチャージすることを選択しないならば、ＳＣＰは、“通話切断”メッセージ（４０３）をＭＳＣに送信する。次いで、ＭＳＣは、ユーザの通話（４０４）を切断するために必要なステップを取り行う。この通話切断処理は、セルラ電話の技術分野でよく知られており更に説明しない。
【００６５】
図５は、本発明のプリペイド・アカウント・リチャージ処理を示す。処理は、ＷＡＰネットワークを介してモバイル・クライアント・ソフトウェアにメッセージを送るＳＣＰによって開始する（ステップ５０１）。電話ユーザがアカウントをリチャージすることを望むならば（ステップ５０２）、ユーザは、ＷＡＰネットワークを介してＳＣＰに“リチャージ受入れ”メッセージを送り戻すようにモバイル・クライアント・ソフトウェアに命令する（ステップ５０５）。次いで、ＳＣＰは、所望の量に対してアカウントをリチャージする（ステップ５０６）。
【００６６】
好適な実施形態では、ＳＣＰは、アカウントをリチャージした後、モバイル・クライアントに肯定応答を送り戻し、アカウントが同意された値に対してリチャージされたことを示す。それが要求されていないしかつＳＣＰからモバイル・クライアントへのその他のメッセージと実質的に同じ方法で実行されるので、このメッセージは、明瞭化の目的で図３の通話フロー図には示されていない。
【００６７】
電話ユーザがアカウントをリチャージすることを望んでいないならば（ステップ５０２）、ユーザは、ＷＡＰネットワークを介してＳＣＰに“リチャージ拒否”メッセージを送り戻すようにモバイル・クライアント・ソフトウェアに命令する（ステップ５１５）。ＳＣＰは、このメッセージを受け取った後アカウントをリチャージしない（ステップ５１６）。
【００６８】
図６は、ユーザのプリペイド・アカウントをリチャージすることに関する電話ユーザ・オプションを与える本発明の処理に従うディスプレイ（６０１）を有している電話を示す。ユーザが（それがプッシュ・メッセージであるか通話中であるかにより）アカウントがリチャージングを必要としうるというＳＣＰからのメッセージを受け取るとき、図６に示したディスプレイ（６０１）が自動的に現われる。一実施形態では、警報音もまた始動される。
【００６９】
上部部分（６０２）は、ユーザのプリペイド・アカウントが低いことを示しているメッセージを表示する。ユーザは、リチャージすること（６１１）またはリチャージを拒否すること（６１０）の選択が与えられる。
【００７０】
リチャージ受入れるかまたは拒否するために、ユーザは、所望の表示（６１０または６１１）にカーソル（６０５）を位置決めしかつ送信またはトーク・キーを押す。選択は、上述したように、処理のためにＳＣＰにＷＡＰネットワークを通して送信される。
【００７１】
図７は、本発明のディスプレイの別の実施形態を示す。これは、その場合において、リチャージ通知が必ずしも、ユーザがリチャージに対する通知または警告を要求するために設定した所定のしきい値と一致することを必要としない、モバイル・アドバタイジングの形式を取る。サービス・プロバイダは、ユーザがある一定の期間内にリチャージすることを決定したならばユーザに対してディスカウントを認可する（７０１）。この場合には、ユーザは、プロモーションの種類により、リチャージ量（７０２）を選択するかリチャージ・オファー（７０４）を拒否することができる。
【００７２】
ユーザがリチャージすることを望むならば、ユーザは、所望のリチャージ量（７０３）にカーソルを位置決しかつ処理するためにＳＣＰに選択を送るべくエンターまたはトークを押すことができる。
【００７３】
代替実施形態は、それとは異なるようにディスプレイを配分しうる。例えば、一実施形態は、画面の底部に位置決めされたバッテリーまたはアンテナ強度またはＷＡＰ機能のような電話またはシステム情報及び上部に他の情報を示しうる。図６及び７に図示されたものとは異なるサイズ及びスタイル・ディスプレイは、説明したものとは異なる方向を有する。
【００７４】
図６は、オプションの回りに点線または破線としてカーソル（６０５）を示す。別の実施形態は、カーソルがカバーする各オプションに対して逆のビデオ・ディスプレイを使用する。別の代替実施形態は、カーソルとして各オプションの次に矢印を使用する。
【００７５】
電話ユーザは、電話キーパッド・キー（６２０）を用いてオプションを通してカーソル（６０５）を下方に移動することができる。好適な実施形態では、カーソル制御キーは、空間を節約するために電話番号キーに重ね合わされる。一度カーソルが所望のリチャージ・オプションに位置決めされたならば、このオプションを起動するために“エンター”キーまたはトーク・キーが押し下げられる。代替実施形態では、“エンター”キーを押し下げる代わりに、電話のモバイル・クライアントが所定の時間待機しそれからその上にカーソル（６０５）が位置決めされたオプションを起動する。
【００７６】
別の代替実施形態では、リチャージ・オプションが番号付けされるならば、電話ユーザは、電話のキーパッド（６２０）を使用して所望のオプションの番号を入力することができる。
【００７７】
所望のオプションを入力することにより、ディスプレイは、どのオプションが選択されたか及びそのオプションが処理されていることを示すために変化する。例えば、カーソルが“リチャージ”オプションの上に位置決めされかつ“入力”キーが押し下げられた場合には、別の画面（図示省略）がプリペイド・アカウントが処理されていることをユーザに知らせる。
【００７８】
一度アカウントがリチャージされたならば、ＳＣＰは、アカウントがリチャージされたことをユーザに知らせる電話ディスプレイに表示されるＷＡＰシステムを通して肯定応答を送る。一実施形態では、ディスプレイは、ユーザのアカウントがリチャージされた量をユーザに知らせる。
【００７９】
本発明は、ＷＡＰ使用可能であるその他の通信装置で動作するので、これらの他の通信装置は、図６に示した電話とは異なるように見える。例えば、ＷＡＰ対応ＰＤＡが本発明の入力通話処理を使用するならば、キーパッド及び矢印キーを必要としないであろう。ＰＤＡは、キーパッド及び矢印キーに対してタッチ・スクリーン・ディスプレイを代わりに用いうる。
【００８０】
プリペイド・アカウントをリチャージするための基準は、必ずしもアカウントの期限切れ前の一定の（時間の）分の数またはドル量である必要はない。この時間またはドル量は、ユーザによって構成可能でありうる。特製注文（特注）は、ＨＴＭＬインタフェース、ＷＡＰインタフェース、対話形音声応答システム（ＩＶＲ）を介してまたは顧客サービス・リプレゼンタティブによって手動で行うことができる。
【００８１】
また、本発明のプリペイド・リチャージ処理は、ユーザ・エージェント・プロファイルズ（Ｕｓｅｒ Ａｇｅｎｔ Ｐｒｏｆｉｌｅｓ）のようなＷＡＰ機構を通して英語以外の言語でユーザと対話するケーパビリティを提供する。好適な実施形態では、言語は、また、特注可能な機能（フューチャ）である。
【００８２】
また、本発明は、ユーザに、アカウントをリチャージするための通貨を選択させることができる。ユーザがユーザの母国から離れて旅行をしているならば、ユーザは、メニューにアクセスしかつリチャージ通貨を現地通貨に変えることができる。
【００８３】
また、ユーザは、アカウントをリチャージするための複数の支払オプションを提示されることもできる。好適な実施形態では、ユーザのクレジット・カード番号は、システムで記憶されかつ全てのリチャージ・トランザクションの後でチャージされる。代替実施形態は、将来の支払に対してチャージをユーザの電話請求書に加えること、電子ウォレット（財布）アカウントを使用することまたはその他の種類の電子支払オプションのような、支払オプションを使用する。
【００８４】
また、本発明のチャージ処理のアドバイスは、通話を終了する前に通話の費用に関する情報をユーザに提供する。図８は、この処理のフロー図を示す。
【００８５】
ユーザは、ユーザが通話することを望む電話番号をキー入力しかつ「送信（ｓｅｎｄ）」（８００）をヒットする。モバイル・クライアントは、この通話オリジネーション・メッセージ（８０５）をＭＳＣに送る。ＭＳＣは、通話に対する許可を得るためにオリジネーション・アテンプト（試み）をＳＣＰ（８１０）に送信する。
【００８６】
ＳＣＰは、国コード、エリア・コード、および／またはプレフィックス（接頭）数字を含んでいるダイヤルされたディジット（数字）を分析しかつこれらを電話レート（料金）表と比較する。レート表は、ＳＣＰまたはＳＣＰによってアクセスすることができるその他の場所に記憶されうる。好適な実施形態では、電話レートは、いつでも更新される。その他の実施形態では、レートは、毎日またはその他の更新頻度で更新される。
【００８７】
ＳＣＰは、モバイル・クライアント（８３０）にＷＴＡサーバおよびＷＡＰゲートウェイ（８２０）を介してＷＡＰシステムを通してメッセージを押し戻す（プッシュ・バックする）。次いでモバイル・クライアントは、ユーザに見せるために電話ディスプレイに通話に対する予想費用を表示する。一実施形態では、モバイル・クライアントは、ユーザが通話を続けるかどうかを決定することができるようにプリペイド・アカウントの残り時間または通貨も表示する。
【００８８】
ユーザが通話を続けることを決定したならば、受入れボタン、または受入れを示すその他のかかる方法、をタッチする。次いでモバイル・クライアントは、ＷＡＰゲートウェイ（８３５）に“通話受入れ”メッセージを送信する。ＷＡＰゲートウェイは、ＷＴＡサーバ（８４０）にメッセージを送信し、ＷＴＡサーバは、次いでメッセージをＳＣＰ（８４５）に送る。
【００８９】
ＳＣＰは、ＭＳＣがターミネーティング・ネットワーク（８５５、８５６、８５７）で通話を完了することができるように通話が許可された（８５０）ことをＭＳＣに知らせる。
【００９０】
また、本発明のチャージ処理のアドバイスは、ユーザ・エージェント・プロファイルのようなＷＡＰ機構を通して英語以外の言語でユーザと対話するケーパビリティを供給する。好適な実施形態では、言語もまた特注機能である。
【００９１】
また、本発明は、ユーザにチャージのアドバイスを見るための通貨を選択することができるようにする。ユーザがユーザの母国から離れて旅行しているならば、ユーザは、メニューにアクセスしかつチャージ通貨のアドバイス（通知）を現地通貨に変えることができる。
【００９２】
ユーザが予想通話チャージとアカウント・バランスを比較しかつ通話を続けるためにアカウント・リチャージが必要であるということを決定したならば、本発明の上記リチャージ処理が使用される。また、ユーザは、ユーザがこの地点で通話を続けることを望まないことを決定することもできる。この場合には、“拒否”キーまたはその他の形式の断り（ｄｅｃｌｉｎｉｎｇ）がタッチされかつモバイル・クライアントは、ＷＡＰゲートウェイ（８６０）に“通話拒否”メッセージを送信する。このメッセージは、ＷＴＡサーバ（８６５）に送信されそれからＳＣＰ（８７０）に送信される。次いで、ＳＣＰは、通話が続かないようにＭＳＣに通話を許可しない。
【００９３】
纏めると、本発明は、プリペイド・アカウントをリチャージしかつ ＷＡＰネットワークを通してチャージのアドバイス（通知）を受取るためのモバイル、ＷＡＰ対応電話に対する処理を提供する。プリペイド・アカウント枯渇催促（リマインダ）は、ある一定レベルに達したアカウントをユーザに知らせるプッシュ・メッセージまたはユーザが通話している間にレベルに達したことの警告のいずれかでありうる。
【図面の簡単な説明】
【図１】
本発明によるセルラ電話のブロック図を示す。
【図２】
本発明のＷＡＰケーパブル・セルラ電話を用いている典型的な無線・アクセス・プロトコル（ＷＡＰ）システムのブロック図を示す。
【図３】
本発明の“プッシュ”通話フロー図を示す。
【図４】
本発明の“通話中”通話フロー図を示す。
【図５】
本発明のプリペイド・アカウント・リチャージ処理のフローチャートを示す。
【図６】
モバイル・クライアント処理を実行しているＷＡＰケーパブル・セルラ電話のディスプレイを示す。
【図７】
モバイル・クライアント処理を実行しているＷＡＰケーパブル・セルラ電話のディスプレイの代替実施形態を示す。
【図８】
本発明のチャージ処理のプリペイド・アドバイスに対する通話フロー図を示す。
【図１】
2004516749.tif 000003
【図２】
2004516749.tif 000004
【図３】
2004516749.tif 000005
【図４】
2004516749.tif 000006
【図５】
2004516749.tif 000007
【図６】
2004516749.tif 000008
【図７】
2004516749.tif 000009
【図８】
2004516749.tif 000010
【国際公開パンフレット】
2004516749.tif 000011
2004516749.tif 000012
2004516749.tif 000013
2004516749.tif 000014
2004516749.tif 000015
2004516749.tif 000016
2004516749.tif 000017
2004516749.tif 000018
2004516749.tif 000019
2004516749.tif 000020
2004516749.tif 000021
2004516749.tif 000022
2004516749.tif 000023
2004516749.tif 000024
2004516749.tif 000025
2004516749.tif 000026
2004516749.tif 000027
2004516749.tif 000028
2004516749.tif 000029
2004516749.tif 000030
2004516749.tif 000031
2004516749.tif 000032
2004516749.tif 000033
2004516749.tif 000034
2004516749.tif 000035
2004516749.tif 000036
2004516749.tif 000037
2004516749.tif 000038
2004516749.tif 000039
2004516749.tif 000040
2004516749.tif 000041
2004516749.tif 000042
2004516749.tif 000043
2004516749.tif 000044
2004516749.tif 000045
【国際調査報告】
2004516749.tif 000046